(57)【要約】【課題】  防犯性を維持しつつ、操作性を容易に向上させることが可能な施錠装置及び該施錠装置を備える開口部装置を提供する。【解決手段】  シリンダー錠、錠箱１０、６０室内側ユニット２０、７０が室外側からこの順に配置され、室内外側のいずれからも施解錠できる一対の施錠ユニットと、一対の施錠ユニットに具備され、一方の施錠ユニットの室内側からの施解錠操作又は一方の施錠ユニットの室外側からの施錠操作を介して他方の施錠ユニットの施錠又は解錠を可能とする連動状態と、一方の施錠ユニットの室外側からの解錠操作を介しても他方の施錠ユニットの解錠が不可能である非連動状態とを自動に切り替え可能とする切替機構とを備えることを特徴とする。【選択図】      図２
2007077760.tif 000002
【特許請求の範囲】
【請求項１】
シリンダー錠、錠箱及び室内側ユニットが室外側からこの順に配置されるとともに、室内側及び室外側のいずれの側からも施解錠が可能である一対の施錠ユニットと、
前記一対の施錠ユニットに具備され、いずれか一方の前記施錠ユニットの室内側からの施解錠操作、又はいずれか一方の前記施錠ユニットの室外側からの施錠操作を介して他方の前記施錠ユニットの施錠又は解錠を可能とする連動状態と、いずれか一方の前記施錠ユニットの室外側からの解錠操作を介しても他方の前記施錠ユニットの解錠が不可能である非連動状態とを自動に切り替え可能とする切替機構と、を備えることを特徴とする施錠装置。
【請求項２】
前記一対の施錠ユニットが第１施錠ユニットと第２施錠ユニットとを有し、
前記切替機構が、
前記第１施錠ユニットに配置され、該第１施錠ユニットの施解錠操作の回動軸と同軸で回動可能である第１回転子と、
前記第２施錠ユニットに配置され、該第２施錠ユニットの施解錠操作により、該操作に追随して回動する第２回転子と、
前記第１回転子及び前記第２回転子に掛け渡され、前記第１回転子と前記第２回転子とを連動させるワイヤと、
前記第１回転子の室内側に同軸に回動可能に設けられる連動切替板と、
前記第１回転子の回動軸から離隔した位置に弾性部材により室内方向に付勢されるように取り付けられる接触子と、
前記連動切替板の前記接触子に対応する部位に設けられる貫通孔と、
前記連動切替板より室内側に前記接触子先端部の回動の軌跡に対応する位置に室内外方向に傾斜面を有するカム部と、を備え、
前記接触子が前記貫通孔に差し込まれることにより、前記第１回転子と前記連動切替板とが係合する連動状態と、前記接触子がカム面により前記回動にともない室外側へ押し戻され、前記貫通孔から離脱可能となり、前記第１回転子と前記連動切替板とが独立回動可能である非連動状態とにより前記第１施錠ユニット及び前記第２施錠ユニットの連動又は非連動を制御することを特徴とする請求項１に記載の施錠装置。
【請求項３】
前記切替機構が、さらに
前記連動切替板より室内側に配置された連動子と、
前記第１回転子から室内側に突出して延設された被連動子と、
前記被連動子の回動の軌跡に沿って前記連動切替板に設けられたスリットと、
前記連動切替板の室内側に取り付けられた切替板被連動子と、を備え
前記被連動子が前記スリットを貫いて室内側に配置され、前記連動子が室内側から前記被連動子及び前記切替板被連動子と係合して回動する連動状態と、前記被連動子又は前記切替板被連動子が前記連動子と係合しないで回動する非連動状態とにより前記第１施錠ユニット及び前記第２施錠ユニットの連動又は非連動を制御することを特徴とする請求項１又は２に記載の施錠装置。
【請求項４】
請求項１〜３のいずれか一項に記載の施錠装置を備えることを特徴とする開口部装置。
【発明の詳細な説明】
【技術分野】
【０００１】
本発明は、施錠装置及び該施錠装置を備える開口部装置に関し、特に防犯性を維持しつつ操作性を容易に向上させることが可能な施錠装置、及び該施錠装置を備える開口部装置に関する。
【背景技術】
【０００２】
わが国は世界に冠たる治安の安定した国であるが、一方で、賊が住宅に侵入して金品を奪い去るという犯罪も後を絶たない。かかる賊は、いわゆるサムターン回しやピッキング等の手口により、室外から進入することが知られている。そのため、近年では、玄関扉に複数の錠を設ける等の方法により防犯対策がされている。なお、玄関扉に設けられる錠は、室外側から操作されるシリンダー錠と、玄関扉の内部に配設される錠箱とを備え、室内側からはサムターン等の操作手段を介して錠箱の施解錠を行うのが通常である。
【０００３】
このように、玄関扉等に複数の錠を備えることで防犯性を向上させると、従来の装置において、該玄関扉の施解錠操作は、複数の錠のそれぞれに対して行う必要があり、防犯性の向上は達せられる一方で、施解錠操作が煩雑になるという問題があった。
【０００４】
かかる問題を解決するため、特許文献１には、室内側に設けられた１つのサムターンと、扉内に設けられた２つの錠箱と、室外側に設けられた２つのシリンダー錠とを備えた施錠装置に関する技術が開示されている。かかる技術によれば、錠箱及びシリンダー錠の構造を工夫することで、複数箇所でのロックが可能になり、室内側からは容易に施解錠操作ができ、室外側からは容易には解錠ができない施錠装置が提供されるとしている。なお、特許文献１にかかる施錠装置では、室外側から２つのシリンダー錠を解錠操作する際に、一定の順序に従う必要がある。
【０００５】
【特許文献１】特開２００１−１６４９０６号公報
【発明の開示】
【発明が解決しようとする課題】
【０００６】
しかし、特許文献１に開示されている施錠装置によれば、賊ではない住人等が室外側から解錠操作する場合にも一定の手順に従う必要があるため、操作性向上の度合いが不十分であるという問題があった。
【０００７】
そこで、本発明は、防犯性を維持しつつ操作性を容易に向上させることが可能な施錠装置及び該施錠装置を備えた開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、シリンダー錠（１、５１）、錠箱（１０、６０）及び室内側ユニット（２０、７０）が室外側からこの順に配置されるとともに、室内側及び室外側のいずれの側からも施解錠が可能である一対の施錠ユニット（４０、９０）と、一対の施錠ユニットに具備され、いずれか一方の施錠ユニットの室内側からの施解錠操作、又はいずれか一方の施錠ユニットの室外側からの施錠操作を介して他方の施錠ユニットの施錠又は解錠を可能とする連動状態と、いずれか一方の施錠ユニットの室外側からの解錠操作を介しても他方の施錠ユニットの解錠が不可能である非連動状態とを自動に切り替え可能とする切替機構とを備えることを特徴とする施錠装置（１００）を提供することにより前記課題を解決する。
【００１０】
ここに、請求項１に記載の切替機構（第１回転子（２１）、第２回転子（７１）、接触子（２５）、連動切替板（２６）、カム面（２７Ｊ）、ワイヤ（９５）、連動子（２２Ｅ）、被連動子（２１Ｂ）、切替板被連動子（２６Ｄ、２６Ｅ））は、一対の施錠ユニットを機械的な構造を介して連動させることを指しており、電気的な制御により連動させる手段は含まない概念である。また、室内操作手段（２２）の機械的操作とは、例えば、前後動や上下動、回動による操作を意味している。さらに本発明にかかる室内操作手段の形態は特に限定されるものではなく、その具体的な形態としては、回動操作が可能なサムターン形態を挙げることができる。加えてシリンダー錠及び錠箱の形態も特に限定されるものではなく、例えば、スイング型の扉等に使用され得る形態の従来のシリンダー錠、錠箱、及び従来のガードアームロック型の錠箱等を使用することが可能である。
【００１１】
請求項２に記載の発明は、請求項１に記載の発明の、一対の施錠ユニット（４０、９０）が第１施錠ユニット（４０）と第２施錠ユニット（９０）とを有し、切替機構が、第１施錠ユニットに配置され、該第１施錠ユニットの施解錠操作の回動軸と同軸で回動可能である第１回転子（２１）と、第２施錠ユニットに配置され、該第２施錠ユニットの施解錠操作により、該操作に追随して回動する第２回転子（７１）と、第１回転子及び第２回転子に掛け渡され、第１回転子と第２回転子とを連動させるワイヤ（９５）と、第１回転子の室内側に同軸に回動可能に設けられる連動切替板（２６）と、第１回転子の回動軸から離隔した位置に弾性部材により室内方向に付勢されるように取り付けられる接触子（２５）と、連動切替板の接触子に対応する部位に設けられる貫通孔（２６Ｈ）と、連動切替板より室内側に接触子先端部の回動の軌跡に対応する位置に室内外方向に傾斜面を有するカム部（２７Ｊ）とを備え、接触子が貫通孔に差し込まれることにより、第１回転子と連動切替板とが係合する連動状態と、接触子がカム面により回動にともない室外側へ押し戻され、貫通孔から離脱可能となり、第１回転子と連動切替板とが独立回動可能である非連動状態とにより第１施錠ユニット及び第２施錠ユニットの連動又は非連動を制御することを特徴とする。
【００１２】
請求項３の発明は、請求項１又は２に記載の発明の切替機構が、さらに連動切替板（２６）より室内側に配置された連動子（２２Ｅ）と、第１回転子から室内側に突出して延設された被連動子（２１Ｂ）と、被連動子の回動の軌跡に沿って連動切替板に設けられたスリット（２６Ｊ）と、連動切替板の室内側に取り付けられた切替板被連動子（２６Ｄ、２６Ｅ）とを備え、被連動子がスリットを貫いて室内側に配置され、連動子が室内側から被連動子及び切替板被連動子と係合して回動する連動状態と、被連動子又は切替板被連動子が連動子と係合しないで回動する非連動状態とにより第１施錠ユニット及び第２施錠ユニットの連動又は非連動を制御することを特徴とする。
【００１３】
請求項４に記載の発明は、請求項１〜３のいずれか一項に記載の施錠装置（１００）を備えることを特徴とする開口部装置（１０００）を提供することにより前記課題を解決する。
【００１４】
ここに、本発明にかかる開口部装置（１０００）の形態は、施錠装置（１００）を備えることが可能であれば、特に限定されるものではない、その形態の具体例としては、スイング型の玄関、勝手口、又は通用口等を挙げることができる。また、開口部装置（１０００）を挟んだ室内外が屋内外の関係である必要はなく、部屋同士を仕切る開口に備えられる扉や、部屋と廊下とを仕切る開口に備えられる扉等であってもよい。
【発明の効果】
【００１５】
請求項１に記載の発明によれば、一対の施錠ユニットが備えられている施錠装置で室外側又は室内側から施解錠する場合、室内側からの操作においては、施解錠ともに施錠ユニットのうち施解錠連動とされた一方を操作すれば、他の付加的な操作を必要とせずに自動的に、他方も連動して施解錠される。室外側からの操作も施錠については、いずれか一方の施錠ユニットを操作すれば、他の付加的な操作を必要とせずに自動的に、他方も連動して施錠される。これは、複数の施錠ユニットが存在するにもかかわらず、１回の施錠又は解錠操作で全ての施錠ユニットの施錠又は解錠が完了することを意味し、操作者の利便性向上に大きな効果をもたらす。施錠の連動はその性質上、賊などが施錠操作を行うことは考え難く、また、室内側の解錠操作も同様に賊等が行うとは考え難い。従って、防犯性を低下させることはない。一方、室外側からシリンダー錠を操作して解錠する場合は、複数のシリンダー錠全てのシリンダー錠を解錠操作しないと、施錠装置の解錠は完了しない。これは、解錠完了のためには複数の操作を必要とすることを意味し、防犯性に大きな効果をもたらす。これについても操作者はこのために他の付加的な操作を必要とせず、自動的にこの状態とされる。従って、請求項１に記載の発明によれば、防犯性を維持しつつ操作性を向上させることが可能な施錠装置を提供することができる。
【００１６】
請求項２の発明によれば、施錠装置の施解錠操作が施錠装置の連動、非連動の切替機構の各部材を適切に動作させ、施錠装置の連動及び非連動を制御している。本発明の施錠装置の連動、非連動切替機構は、施解錠の状態によって、機械的にかつ自動的に連動及び非連動状態が選択される構造となっている。よって、操作者が連動又は非連動を選択するための特別な操作を必要としないので利便性を損なうことなく、施解錠の操作性を向上させることができる。さらに、連動又は非連動を決定するための構成部材が少ないことにより、簡易的かつ確実に連動又は非連動状態を実現できる。又、これによりコストを抑えることも可能となる。従って、請求項２の発明によれば、簡易的かつ確実に第１施錠ユニット及び第２施錠ユニットを連動させて操作性向上及び防犯性維持が可能な施錠装置を提供することができる。
【００１７】
請求項３の発明によれば、請求項２の発明と同様に施錠装置の施解錠操作が施錠装置の連動、非連動の切替機構の各部材を適切に動作させ、施錠装置の連動及び非連動を制御している。本発明の施錠装置の連動、非連動切替機構は、施解錠の状態によって、機械的にかつ自動的に連動及び非連動状態が選択される構造となっている。よって、操作者が連動又は非連動を選択するための特別な操作を必要としないので利便性を損なうことなく、施解錠の操作性を向上させることができる。さらに、連動又は非連動を決定するための構成部材が少ないことにより、簡易的かつ確実に連動又は非連動状態を実現できる。また、これによりコストを抑えることも可能となる。従って、請求項３の発明によれば、簡易的かつ確実に第１施錠ユニット及び第２施錠ユニットを連動させて操作性向上及び防犯性維持が可能な施錠装置を提供することができる。
【００１８】
請求項４の発明によれば、防犯性を維持しつつ操作性を向上させることのできる施錠装置が備えられているので、防犯性を維持しつつ操作性を向上させることが可能な開口部装置を提供することができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。なお、以下の説明では、室内操作手段を「サムターン」と記載することがある。
【００２１】
１．施錠装置及び開口部装置の構造
図１は、本発明の施錠装置１００を備える建物の開口部装置１０００を概略的に示す正面図である。図１（ａ）は、開口部装置１０００を室外側から見た正面図であり、図１（ｂ）は、開口部装置１０００を室内側から見た正面図である。
【００２２】
図１（ａ）に示すように、開口部装置１０００の室外側には、室外側把手２の上下に第１シリンダー錠１及び第２シリンダー錠５１が備えられている。室外側からの施解錠操作は、第１シリンダー錠１及び／又は第２シリンダー錠５１を操作することにより行う。そして、シリンダー錠１、５１のそれぞれに備えられている第１及び第２錠箱１０、６０（図２参照）が解錠されると、例えば、室外側把手２を掴んで扉を紙面手前方向に回動させる等の方法により、扉を室外側に開くことが可能となる。
【００２３】
また、図１（ｂ）に示すように、開口部装置１０００の室内側には、室内側把手３の上下に第１室内側ユニット２０及び第２室内側ユニット７０が備えられている。第１室内側ユニット２０には、サムターン２２が備えられており、第２室内側ユニット７０には、サムターンが備えられておらず直線状の溝を有する補助部材７２が配設されている。室内側からの施解錠操作は、通常、サムターン２２を操作することにより行う。サムターン２２を操作することにより室内側ユニット２０、７０にそれぞれ連動している第１及び第２錠箱１０、６０（図２参照）が施解錠される。解錠後例えば、室内側把手３を掴んで扉を紙面奥の方向へ回動させる等の方法により、扉を室外側へ開くことができる。本発明の施錠装置１００は、上記一連の一対の施錠ユニット４０、９０（図２参照）の施解錠操作に関して、従来においては複雑な操作を必要としたことに対し、防犯性を維持しつつも簡単な操作で開口部装置１０００の施解錠を可能としたものである。
【００２４】
図２は、施錠装置１００に着目してその形態を概略的に示した室内側斜視図である。理解を容易にするため図２では、本発明の主要部分と直接関係しない箇所は適宜省略し、施錠ユニット４０、９０を示している。図示の開口部装置１０００は、スイング型の玄関扉を備える開口部装置１０００である。該開口部装置１０００は、マンション等に代表される集合住宅の玄関等に好適に使用される。当該玄関扉に本発明の施錠装置１００が備え付けられている。
【００２５】
施錠装置１００は、第１施錠ユニット４０と第２施錠ユニット９０とを備えている。第１施錠ユニット４０は、室外側に設けられた第１シリンダー錠１（図１参照）と、扉の内側に設けられ第１デッドボルト１２を有する第１錠箱１０と、該第１錠箱１０の室内側に設けられた第１室内側ユニット２０とを備えている。第２施錠ユニット９０は、室外側に設けられた第２シリンダー錠５１（図１参照）と、扉の内側に設けられ第２デッドボルト６２を有する第２錠箱６０と、該第２錠箱６０の室内側に設けられた第２室内側ユニット７０とを備えている。この第１及び第２デッドボルト１２、６２を図２にＡで示した矢印方向に移動させることによって、開口部装置１０００の施解錠を行う。そして第１及び第２シリンダー錠１、５１、第１及び第２室内側ユニット２０、７０によりこのデッドボルト１２、６２の移動が行われる。
【００２６】
また、図２からわかるように、施錠装置１００では２つの施錠ユニット４０、９０があるにもかかわらずサムターン２２は１つしかなく、非常にすっきりとした印象を与えることができる。これにより意匠的にも優れた施錠装置１００を提供することが可能となる。第１及び第２室内側ユニット２０、７０の詳細な構造及び、各部材の関係は後で説明する。
【００２７】
図３は、第１室内側ユニット２０及び第２室内側ユニット７０の各構成要素を概略的に示した分解斜視図である。図３では紙面左が室外側、紙面右が室内側を示している。第１室内側ユニット２０は、室外側から室内方向に、第１固定部材２４と、第１回転子２１と、接触子２５と、連動切替板２６と、第１サムターンカラー２７と、サムターン２２とを主要部材としてこの順に備えている。一方、第２室内側ユニット７０は、室外側から室内方向に、第２固定部材７４と、第２回転子７１と、カラー７７と、補助部材７２とを主要部材としてこの順に備えている。さらに環状のワイヤ９５が備えられ、第１回転子２１と第２回転子７１とに掛け渡して取り付けられている。
【００２８】
そして第１室内側ユニット２０及び第２室内側ユニット７０の室外側には第１及び第２錠箱１０、６０がそれぞれ配置されている。
【００２９】
次に、第１室内側ユニット２０に備えられる各部材について以下に説明する。第１固定部材２４は、略円板状の部材で、中央に設けられた貫通孔２４Ｅと、該貫通孔２４Ｅの左右のそれぞれに設けられた貫通孔２４Ｆ、２４Ｇとを備え、さらに下部には溝部２４Ｈを有している。第１回転子２１は、円板状の部材である平板部２１Ａと、該平板部２１Ａの室内側中央に貫通孔２１Ｅを有する筒状の部材である筒状部２１Ｃとを備えている。また、該筒状部２１Ｃの室内側端面から室内側に突出した円弧状の断面を有する部材である被連動子２１Ｂが延設されている。さらに筒状部２１Ｃの側面に配置され、該筒状部２１Ｃの中心から該筒状部２１Ｃの半径方向に離隔して設けられ、室内側に開口した貫通していない孔２１Ｈを有する接触子挿入部２１Ｊが備えられている。加えて、平板部２１Ａには、該平板部２１Ａの厚みを形成する側面に沿って溝２１Ｄが刻設されるとともに、当該平板部２１Ａの筒状部２１Ｃの半径方向外側には円弧状のスリット２１Ｇ、２１Ｆ（スリット２１Ｆは死角となり見えない。）も設けられている。
【００３０】
接触子２５は、円柱状の部材で、室内側端部が球状に形成されている。
【００３１】
引き続き室内側第１ユニット２０に備えられる部材について説明する。図４は第１室内側ユニット２０及び第２室内側ユニット７０の分解斜視図で、図３とは反対側の視点からの図である。従って図４では、紙面左が室内側、紙面右が室外側を示している。以降、図３及び図４を参照しつつ説明する。連動切替板２６は、円板状の部材である円板部２６Ａと、該円板部２６Ａの中心部から室外方向に延設された円柱状の部材である円柱部２６Ｃとを備えている。さらに円板部２６Ａの中心部で室内側には、２つの扇型の部材である切替板被連動子２６Ｄ、２６Ｅが取り付けられている。また、円板部２６Ａの板面には、円弧状のスリット２６Ｆ、２６Ｇと、上述した孔２１Ｈに対応した位置に貫通孔２６Ｈと、円柱部２６Ｃの外周に沿ったスリット２６Ｊとが設けられている。各部位と他の部材との関係は後で説明する。
【００３２】
サムターンカラー２７は、室内側に底部を有する断面が略円形の筒状体で、底部中央に備えられた貫通孔２７Ｅと、該貫通孔２７Ｅの左右に配置された貫通孔２７Ｆ、２７Ｇと、底部で連動切替板２６の貫通孔２６Ｈの回動の軌跡に沿って位置し、室内外方向に傾斜を有するカム面２７Ｊとが一体に形成されている。カム面２７Ｊは、図４にＰで示した部位で最も室内側で、Ｑで示した部位で最も室外側である。また、サムターンカラー２７の室外側端面には外周部に沿って溝２７Ｄが刻設されている。溝２７Ｄには、該溝２７Ｄに沿って不図示のばねが配置される。
【００３３】
サムターン２２は、手で掴んで回動操作する摘み２２Ａと、カバー２２Ｂと、カバー２２Ｂの室外側に配置された板状の部材である連動子２２Ｅと、カバー２２Ｂの室外側でサムターンカラー２７の溝２７Ｄに対応する位置に突出して配置された戻り部材２２Ｆとを備えている。連動子２２Ｅは、摘み２２Ａと同軸で回動し、該軸を中心に自転するように回動することができる。一方、戻り部材２２Ｆは、後述するように、サムターンカラー２７の溝２７Ｄの内側を移動するように配置され、溝２７Ｄの内側に配置される不図示の弾性部材により力が取り除かれると上に戻されるようにされている。
【００３４】
次に第２室内側ユニット７０に備えられる各部材について、引き続き図３及び図４を参照しつつ説明する。第２固定部材７４は、略円板状の部材で、中央に設けられた貫通孔７４Ｅと、該貫通孔７４Ｅの左右のそれぞれに設けられた貫通孔７４Ｆ、７４Ｇとを備え、さらに上部には溝部７４Ｈを有している。第２回転子７１は円板状の部材で、中央に設けられた貫通孔７１Ｅと、該貫通孔７１Ｅの半径方向外側に設けられた円弧状のスリット７１Ｆ、７１Ｇを有している。また、厚みを形成する側面には、該側面に沿って溝７１Ｄが刻設されている。また、カラー７７は底部を室内側に有する浅い筒状の部材で、底部の中央に設けられた貫通孔７７Ｅと、該貫通孔７７Ｅの左右のそれぞれに設けられた貫通孔７７Ｆ、７７Ｇとを備えている。そして補助部材７２は、円柱状の部材で、室内側端面に直線状の溝が刻設された補助操作部７２Ａを備えている。
【００３５】
次に、第１回転子２１について詳しく説明する。図５は拡大して示した第１回転子２１の室内側斜視図である。上述したように、第１回転子２１は、円板状の部材である平板部２１Ａと、該平板部２１Ａの中央の室内側に貫通孔２１Ｅを有する筒状部２１Ｃとを備えている。また、該筒状部２１Ｃの室内側端面から室内側に突出して配置される円弧状の断面を有する部材である被連動子２１Ｂが延設されている。さらには、筒状部２１Ｃの側面に配置され、該筒状体２１Ｃの中心から該筒状体２１Ｃの半径方向に離隔して設けられ、室内側に開口した貫通していない孔２１Ｈを有する接触子挿入部２１Ｊが備えられている。加えて、平板部２１Ａには、該平板部２１Ａの厚みを形成する側面に沿って溝２１Ｄが刻設されるとともに、当該平板部２１Ａの筒状部２１Ｃの半径方向外側には円弧状のスリット２１Ｇ、２１Ｆ（スリット２１Ｆは死角となり見えない。）も設けられている。
【００３６】
次に、連動切替板２６について詳しく説明する。図６は拡大して示した連動切替板２６の斜視図である。図６（ａ）が室内側斜視図、図６（ｂ）が室外側斜視図である。上述したように、円板部２６Ａには該円板部２６Ａと同心円状の２つの円弧状スリット２６Ｆ、２６Ｇが設けられている。また、第１回転子２１の孔２１Ｈに対応した位置に貫通孔２６Ｈが配置されている。さらに、連動切替板２６にはその室内視において、図６（ａ）に示したように円板部２６Ａの室内側略中央に、２つの扇型の部材である切替板被連動子２６Ｄ、２６Ｅが取り付けられている。これら２つの切替板被連動子２６Ｄ、２６Ｅは、他の部材との関係で所定の位置に配置されており、この位置については、後で詳しく説明する。また、図６（ｂ）に示したように室外視において、円板部２６Ａの中央部から室外側に円柱部２６Ｃが取り付けられている。当該円柱部２６Ｃの室外側端部は、後述するように錠箱１０の第１駆動子１０Ｅ（図３参照）を回動させることのできる形状に加工されている。加えて、円板部２６Ａには円柱部２６Ｃとの接合部分において、該円柱部２６を囲むように円弧状のスリット２６Ｊが設けられている。
【００３７】
次に、再び図３及び図４を参照しつつ、孔２１Ｈ、貫通孔２６Ｈ、接触子２５及びカム面２７Ｊの構成についてさらに詳しく説明する。図３及び図４において、孔２１Ｈ及び貫通孔２６Ｈは、第１回転子２１及び連動切替板２６の回動軸（同軸）から半径方向に距離が等しい位置に配置されている。従って、第１回転子２１又は連動切替板２６が回動し、所定の位置に達したとき、孔２１Ｈと貫通孔２６Ｈとは、室内外方向に一致するように配置することができる。また、接触子２５が、弾性部材２１Ｋ（図１０参照）とともに孔２１Ｈに室内方向に付勢された状態で挿入される。従って、孔２１Ｈと貫通孔２６Ｈとが室内外方向に一致して配置されたとき、接触子２５は、貫通孔２６Ｈに差し込まれる。
【００３８】
カム面２７Ｊは、上述のように差し込まれた接触子２５の回動の軌跡に沿った位置に設けられ、室内外方向に傾斜を有している。カム面２７Ｊの傾斜は、図４にＰで示した部位で最も室内側、図４にＱで示した部位で最も室外側となるように形成されている。また、カム面２７Ｊは、Ｐで示した端部からＱで示した端部までで、略９０度の中心角を有する円弧の長さとされている。これは、施解錠操作の回動に対応させたものである。従って、Ｑで示された部位は、室外側を向いて、Ｐで示された部位から反時計回りに略９０度回転した位置にある。Ｐで示された部位とＱで示された部位の間は連続的形成され、ＰからＱへ略６０度移動した点からＱまでは連続的な傾斜面を有している。
【００３９】
以上に示した第１回転子２１、接触子２５、連動切替板２６、カム面２７Ｊは、第１及び第２施錠ユニット４０、９０の連動又は非連動を決定するものである。これら部材の詳細な構造及び動作方法は後で説明する。
【００４０】
次に、上述した施錠装置１００の各構成要素の配置を説明する。図３及び図４において、第１室内側ユニット２０の第１錠箱１０の室内側への配置は、例えば次のように行われる。ねじ２８ｆ、２８ｇが対応する貫通孔２７Ｆ、２７Ｇ、スリット２６Ｆ、２６Ｇ、スリット２１Ｆ、２１Ｇ及び貫通孔２４Ｆ、２４Ｇを貫いて、錠箱１０のシリンダのねじ孔１０Ｆ、１０Ｇに取り付けられる。またその室内側からサムターン２２が係止部材等により取り付けられる。ここで、スリット２６Ｆ、２６Ｇ、２１Ｆ、２１Ｇは、円弧状のスリットなので、スリットに沿った範囲内ではねじ２８ｆ、２８ｇの干渉を受けることがない。従って、ねじ２８ｆ、２８ｇに干渉されずに第１回転子２１及び連動切替板２６は回動することができる。
【００４１】
また、このとき、連動切替板２６の円柱部２６Ｃは、第１回転子２１の貫通孔２１Ｅ及び第１固定部材２４の貫通孔２４Ｅを貫いて錠箱１０の第１駆動子１０Ｅに連結される。そして、円柱部２６Ｃの室外側端部の外側形状は、貫通孔２１Ｅ、２４Ｅの内側形状に対して干渉しない形状とされているので、第１回転子２１と連結切替板２６とは、この円柱部２６Ｃによっては連結して回動しないようにされている。そして、第１回転子２１の被連動子２１Ｂは、連結切替板２６のスリット２６Ｊの内側を貫いて配置される。さらに、サムターン２２の連動子２２Ｅは、サムターンカラー２７の貫通孔２７Ｅを貫いて連結切替板２６の切替板被連動子２６Ｄと切替板被連動子２６Ｅとの間に配置される。また、接触子２５の上述のように、孔２１Ｈの内側に弾性部材２１Ｋ（図１０参照）とともに備えられる。
【００４２】
加えて、サムターンカラー２７の溝２７Ｄの内側には不図示の弾性部材が、該溝２７Ｄに沿って配置されるとともに、サムターン２２の戻り部材２２Ｆが差し込まれるように配置される。これにより、サムターン２２が回動して戻り部材２２Ｆが溝２７Ｄ内を移動しても、回動する力が除去されることにより戻り部材２２Ｆは弾性部材により押し戻され、サムターン２２も最初の姿勢に戻される。施錠装置１００では、連動子２２Ｅが水平、摘み２２Ａが垂直の姿勢に戻されるよう設定されている。
【００４３】
一方、第２室内側ユニット７０の第２錠箱６０の室内側への配置は、例えば次のように行われる。ねじ７８ｆ、７８ｇが対応する貫通孔７７Ｆ、７７Ｇ、スリット７１Ｆ、７１Ｇ及び貫通孔７４Ｆ、７４Ｇを貫いて、錠箱６０のシリンダのねじ孔６０Ｆ、６０Ｇに取り付けられる。またその室内側から補助部材７２が係止部材等により取り付けられる。ここで、スリット７１Ｆ、７１Ｇは円弧状のスリットなので、スリットに沿った範囲内ではねじ７８ｆ、７８ｇの干渉を受けることがない。従って、ねじ７８ｆ、７８ｇに干渉されずに第２回転子７１は回動することができる。このとき、補助部材７２の室外側の部位が、貫通孔７７Ｅと、貫通孔７１Ｅと、貫通孔７４Ｅを貫いて第２錠箱６０の駆動子６０Ｅに連結される。ここで、補助部材７２の室外側の部位における断面形状と、第２回転子７１の貫通孔７１Ｅの断面形状と、第２錠箱６０の第２駆動子６０Ｅの断面形状とは略同一である。従って、第２錠箱６０、第２回転子７１、補助部材７２のいずれかが回動すれば該回動に追随して他の部材も回動する。
【００４４】
また、ワイヤ９５は、第１回転子２１と第２回転子７１とに溝部２１Ｄ、７１Ｄにより掛け渡されて配置されている。従って、第１回転子２１と第２回転子７１とは常に連動して回動する。
【００４５】
このようにして、第１錠箱１０及び第２錠箱６０の室内側に、第１室内側ユニット２０及び第２室内側ユニット７０が備えられる。これにより、サムターン２２を操作することにより室内側から第１錠箱１０及び第２錠箱６０の施解錠操作を連動して行うことができ、室外側からのシリンダー錠１、５１（図１参照）の操作により、施錠は連動、解錠は非連動である施錠装置１００を提供することができる。
【００４６】
２．第１、第２施錠ユニットの連動・非連動機構
次に、第１施錠ユニット４０と第２施錠ユニット９０との連動・非連動切替機構について説明する。本発明の施錠装置１００には、２系統の連動・非連動切替機構が備えられ、互いに関連して本発明の施錠装置１００における連動・非連動を可能としている。
【００４７】
２−１．連動子、被連動子を利用した連動・非連動切替機構
はじめに連動子２２Ｅ、被連動子２１Ｂ、及び切替板被連動子２６Ｄ、２６Ｅを利用した連動・非連動切替機構について説明する。図３及び図４に示した各構成要素のうち、本切替機構は、第１室内側ユニット２０の第１回転子２１と、連動切替板２６と、サムターン２２の連動子２２Ｅと、第２回転子７１と、ワイヤ９５との関係により連動と非連動の切替を行う。
【００４８】
図７に、第１回転子２１と、連動切替板２６と、連動子２２Ｅとが組み合わされたときの室内側斜視図を示した。連動子２２Ｅは、見易さのため破線で示している。このように、スリット２６Ｊを貫いて、被連動子２１Ｂが配置され、切替板被連動子２６Ｄ、２６Ｅと略同じ室内側位置まで延設されている。そして連動子２２Ｅは、２つの切替板被連動子２６Ｄ、２６Ｅの間に配置されている。ここで、切替板被連動子２６Ｄは室内視で連動子２２Ｅの上面一端側に配置され、切替板被連動子２６Ｅは連動子２２Ｅの下面他端側に配置されている。また、図７（ｂ）に示したように、被連動子２１Ｂはスリット２６Ｊ内を移動可能とされているので、これにより第１回転子２１は、連結切替板２６に干渉を受けずに回動することも可能である。
【００４９】
すなわち、連動子、被連動子を利用した連動・非連動切替機構において、第１回転子２１と第２回転子７１とは、ワイヤ９５によって常に連動する。また、連動切替板２６は、第１シリンダー錠１及び第１錠箱１０とは常に連動する。さらに第２錠箱６０及び第２シリンダー錠５１は、上述のように、第２回転子７１と常に連動して回動する。従って、いずれかの方法で第１回転子２１と連動切替板２６とが同時に回動すれば、第１錠箱１０と第２錠箱６０とは連動して施錠又は解錠される。また逆に第１回転子２１と連動切替板２６とを連動して回動させなければ、第１錠箱１０と第２錠箱６０とは連動して施錠又は解錠されない。
【００５０】
そこで次に、本連動切替機構における第１回転子２１と連動切替板２６との連動及び非連動の態様について１例を挙げて説明する。本連動機構と施解錠との関係は後で詳しく説明する。図８及び図９は、組み合わされた室内側ユニット２０のうち被連動子２１Ｂ、連動子２２Ｅ及び連動切替板２６を模式的に示した室内視正面図である。ここで、第１回転子２１については被連動子２１Ｂが回動することにより第１回転子２１の全体が回動していることを示している。図８は、第１回転子２１と連動切替板２６とが連動して回動する場面を順を追って（ａ）〜（ｃ）に模式的に示した図である。図８（ａ）に示した状態から、連動子２２Ｅ、つまりはサムターン２２の摘み２２Ａを反時計周りに回動させる。すると、図８（ｂ）に示したように、これに干渉して配置されている被連動子２１Ｂ及び切替板被連動子２６Ｄ、２６Ｆが追随して回動する。従って第１回転子２１及び連動切替板２６がともに回動する。さらに、上述したように室内側ユニット２０は、連動子２２Ｅが水平、摘み２２Ａが垂直に戻るための機構を備えているので、図８（ｃ）に示したように連動子２２Ｅのみが垂直から水平である姿勢に戻る。
【００５１】
図９は、第１回転子２１と連動切替板２６とが連動しないで個々に回動可能である場面を順を追って（ａ）〜（ｄ）に示した図である。図９（ａ）に示した状態から第１回転子２１を反時計周りに回動させると、図９（ｂ）に示したように、被連動子２１Ｂはスリット２６Ｊの内側を移動する。このとき被連動子２１Ｂは連動切替板２６及び連動子２２Ｅとは干渉していないので、第１回転子２１は個別に回動することが可能である。次に、連動子２２Ｅ、つまりはサムターン２２の摘み２２Ａを反時計周りに回動させる。すると、図９（ｃ）に示したように、これに干渉して配置されている切替板被連動子２６Ｄ、２６Ｆのみが追随して回動する。このとき被連動子２１Ｂは連動子２２Ｅの回動には干渉する位置にはない。従って、連動切替板２６のみが個別に回動する。さらに、上述したように室内側ユニット２０は、連動子２２Ｅが水平、摘み２２Ａが垂直に戻るための機構を備えているので、図９（ｄ）に示したように連動子２２Ｅのみが垂直から水平である姿勢に戻る。
【００５２】
ここでは、連動子、被連動子を利用した連動・非連動切替機構による連動及び被連動の態様の一例を示したが、各部材の配置により、他の態様も可能である。例えば回動方向の違う態様での連動、非連動を挙げることができる。
【００５３】
２−２．接触子を利用した連動・非連動切替機構
次に他方の連動・非連動切替機構である、接触子２５を利用した連動・被連動切替機構について説明する。図３及び図４に示した各構成要素のうち、接触子を利用した連動・非連動切替機構は、第１室内側ユニット２０の第１回転子２１と、連動切替板２６と、接触子２５と、カム面２７Ｊと、第２室内側ユニット７０の第２回転子７１と、ワイヤ９５との関係により連動と非連動の切替を行う。
【００５４】
ここでも上述のように、第１回転子２１と第２回転子７１とは、ワイヤ９５によって常に連動する。また、連動切替板２６は、第１シリンダー錠１及び第１錠箱１０とは常に連動する。さらに第２錠箱６０及び第２シリンダー錠５１は、第２回転子７１と常に連動して回動する。従って、いずれかの方法で第１回転子２１と連動切替板２６とを同時に回動させれば、第１錠箱１０と第２錠箱６０とは連動して施錠又は解錠される。また逆に第１回転子２１と連動切替板２６とを連動して回動させなければ、第１錠箱１０と第２錠箱６０とは連動して施錠又は解錠されない。
【００５５】
上述のように、接触子２５は、弾性部材２１Ｋ（図１０参照）とともに孔２１Ｈに室内方向に付勢された状態で挿入されている。従って、孔２１Ｈと貫通孔２６Ｈとが室内外方向に一致して配置されたとき、接触子２５は貫通孔２６Ｈに差し込まれ、それ以外の場合には接触子２５は、貫通孔２６Ｈに差し込まれず、連動切替板２６の第１回転子２１側の面に接して配置されている。この接触子２５と孔２６Ｈとの位置関係が連動と非連動とを決定する。また、カム面２７Ｊは、接触子２５が差し込まれた場合の回動の軌跡に沿った位置に配置され、室内外方向に傾斜を有している。よって、カム面２７Ｊの室内外方向の位置が接触子２５の室内外方向の位置を決めている。従って、第１回転子２１、接触子２５、連動切替板２６及びカム面２７Ｊの相互関係が、施錠装置１００の連動、非連動を制御している。次に、具体的にこの機構における各部材の相互関係について説明する。
【００５６】
図１０は、第１回転子２１、連動切替板２６、接触子２５及びカム面２７Ｊの各部材を含む断面図である。図１０（ａ）は、接触子２５の位置と貫通孔２６Ｈの位置が一致し、さらにカム面２７Ｊが図４にＰで示した部位であるときの各部材の位置関係を示したものである。図１０（ａ）〜（ｃ）の各図において、常に第１回転子２１、連動切替板２６、接触子２５及びカム面２７Ｊの各部材を含む断面図を示しているので、このとき各部材は適宜回転している。また、図１０（ａ）〜（ｃ）において、接触子２５は弾性部材２１Ｋにより常に紙面右方向に付勢されている。図１０（ａ）では、接触子２５は孔２６Ｈの中に差し込まれているので、第１回転子２１と連動切替板２６とは、接触子２５を介して連動して回動する連動状態である。第１回転子２１が連動切替板２６に連動して回動することは、ワイヤ９５を介して、第２回転子７１も回動することを意味する（図３参照）。
【００５７】
図１０（ｂ）は、接触子２５の位置と、貫通孔２６Ｈの位置が一致していない状態を示した図である。接触子２５の位置と、貫通孔２６Ｈの位置が一致していないとき、接触子２５の先端は連動切替板２６の第１回転子２１側の面２６Ｋに接し、第１回転子２１又は連動切替板２６のいずれか一方が回動する場合において、接触子２５は面２６Ｋ上を摺動するのみである。従って、他方の第１回転子２１又は連動切替板２６は連動して回動しない（非連動）状態である。以上のような機構により、第１施錠ユニット４０と第２施錠ユニット９０との連動、非連動が選択される。
【００５８】
次に、図１０（ａ）に示した連動状態から図１０（ｂ）に示した非連動状態へ移行するときの機構を説明する。図１０（ｃ）は、図１０（ａ）に示した状態から第１回転子２１、連動切替板２６及び接触子２５を回動させ、接触子２５がカム面２７Ｊに沿って移動し、図４にＱで示した部位へ達したときにおける第１回転子２１、連動切替板２６、接触子２５及びカム面２７Ｊの位置関係を示した図である。このとき、Ｑで示された部位におけるカム面２７Ｊは、カム面２７Ｊの中で最も室外側にあるので、図１０（ｃ）に示した状態における接触子２５は、図１０（ａ）で示した状態における接触子２５に比べて、室外側（紙面左側）に押し戻された状態にある。接触子２５は、図１０（ｃ）に示すように、端部に球状部２５Ｂを備えている。また、孔２６Ｈは、第１回転子２１側に面取りが施されており、第１回転子２１側に開くような形で傾斜面を有する。図１０（ｃ）に示した状態から、第１回転子２１又は連動切替板２６を回動させると、接触子２５の球状部２５Ｂの球面と、孔２６Ｈの面取りの斜面とが接触する。このとき、この接触にかかる回動方向に移動するための抵抗力を、第１回転子２１又は連動切替板２６が軸回動するために必要な力よりも小さくするように球状部２５Ｂ及び孔２５Ｈの面取りの斜面の角度等を設定しておく。これにより、図１０（ｃ）のように接触子２５が孔２６Ｈの中にある場合でも、第１回転子２１又は連動切替板２６が回動し、接触子２５が貫通孔２６Ｈ内に留まらずに孔２６Ｈから脱して非連動状態（図１０（ｂ））に至る。
【００５９】
本実施形態では、接触子２５の先端に球状部２５Ｂ、貫通孔２６Ｈに面取り斜面を設定することにより接触子２５を貫通孔２６Ｈから離脱可能にしたが、離脱可能にする目的を達すれば他の方法によっても良く、例えば接触子２５の先端を球状ではなく円錐にすることにより、又は連動切替板２６を強度が許容する範囲で可能な限り薄くする等の方法によって離脱可能にしても良い。
【００６０】
このようにして、第１回転子２１、接触子２５、連動切替板２６、及びカム面２７Ｊの関係により連動及び非連動が制御されている。
【００６１】
以上のような「連動子、被連動子を利用した連動・非連動切替機構」及び「接触子を利用した連動・非連動切替機構」の２種類の連動・非連動機構を組み合わせることにより、自動に室内側施解錠はサムターン２２を操作することにより施解錠連動し、室外側施錠は連動する一方で室外側解錠は連動せずに個々のシリンダー錠の操作が必要であるという防犯性と利便性を備えた施錠装置を提供することが可能となる。以下に具体的に各動作における連動・非連動の状態及び施錠解錠の状態を示す。
【００６２】
３．施錠装置の施解錠操作
上述のような切替機構を利用した本実施形態における施解錠の連動状態を、以下に場合分けして図１１〜図１７に示す。図１１〜図１７の各図において、室内側から見た場合の、上段に連動切替板２６、中段に第１回転子２１、下段に第２回転子７１を模式的に示した。また、上段の連動切替板２６中には、カム面２７Ｊを破線で示している。カム面２７ＪのＰで示された部位はカム面２７Ｊの面が最も室内側である部位、カム面２７ＪのＱで示された部位はカム面２７Ｊの面が最も室外側である部位である。さらに中段の第１回転子２１中には、接触子２５も合わせて示している。加えて第１回転子２１と第２回転子７１を連動させているワイヤ９５も示した。
【００６３】
また、図１１〜図１７では、わかりやすさのため、回動の方向を円弧状の矢印で示す。その際、操作者等の操作により直接的に回動をすることを示す矢印は実線矢印で、該操作により連動して回動すること示す矢印は破線矢印で示す。また、第１施錠ユニット４０及び第２施錠ユニット９０の施錠状態、解錠状態の別を以下の記述中で示す他、理解を助けるために図中においても「施錠」及び「解錠」の別を適宜表示した。
【００６４】
３−１．室内側操作による施錠操作
図１１（ａ）〜（ｄ）は、第１施錠ユニット４０及び第２施錠ユニット９０の両方が解錠状態にあり、サムターン２２を利用して施錠する場合における、各施錠ユニットの主要部の状態を模式的に示した図である。この図は、図１１（ａ）〜図１１（ｄ）において、室内側から室外側を向いてサムターン２２を反時計回りに回したときに施錠されるという例を順を追って示したものである。最初、図１１（ａ）のように、第１施錠ユニット４０及び第２施錠ユニット９０が、共に解錠状態にあるときに、連動子２２Ｅが水平、被連動子２１Ｂ及び切替板被連動子２６Ｄが連動子２２Ｅの右上、切替板被連動子２６Ｆが連動子２２Ｅの左下に配置されるように設定しておく。さらには接触子２５とカム面２７Ｊとの関係が、図１０（ａ）に示した配置となり連動状態にあるよう設定しておく。この状態から、サムターン２２の摘み２２Ａを反時計回りに回動させると、図１１（ｂ）に示したように、これに追随して連動子２２Ｅも反時計回りに回動する。すると、被連動子２１Ｂ、切替板被連動子２６Ｄ、２６Ｆも回動する。一方、接触子２５及び貫通孔２６Ｈも同時に回動し、カム面２７ＪのＱで示した部位の方向に移動する。ここでは、連結切替板２６及び第１回転子２１ともに回転しているので第１施錠ユニット４０は連結切替板２６の回動により、第２施錠ユニット９０はワイヤ９５を介して第１回転子２１から伝達された第２回転子７１の回動により、それぞれ回動して同時に施錠状態となる（図１１（ｃ））。その後、連動子２２Ｅは上述の戻り部材と弾性部材との関係（以下、戻り機構と記述することがある。）により水平の姿勢に戻されて図１１（ｄ）の状態となって施錠が完了する。
【００６５】
以上のように、本発明の施錠装置１００では、室内側から施錠をする際、サムターン２２を１度回動させれば、２つの施錠ユニット４０、９０を同時に施錠することができ、利用者にとって非常に利便性の高い施錠装置を提供することができる。
【００６６】
３−２．室内側操作による解錠操作
次に、図１１（ｄ）に示した施錠状態から室内側操作をして解錠する場合について説明する。図１２（ａ）〜（ｄ）は、第１施錠ユニット４０及び第２施錠ユニット９０の両方が施錠状態にあり、サムターン２２を利用して解錠する場合における、各施錠ユニット４０、９０の主要部の状態を模式的に示した図である。この図は、図１２（ａ）〜図１２（ｄ）において、室内側から室外側を向いてサムターン２２を時計回りに回したときに解錠されるという例を順を追って示したものである。最初、図１２（ａ）のように、第１施錠ユニット４０及び第２施錠ユニット９０は、共に施錠状態にあるときに、上述の図１１（ｄ）の状態ある。この状態から、サムターン２２の摘み２２Ａを時計回りに回動させると、図１２（ｂ）に示したように、これに追随して連動子２２Ｅも時計回りに回動する。すると、被連動子２１Ｂ、切替板被連動子２６Ｄ、２６Ｆも連動して回動する。一方、接触子２５及び貫通孔２６Ｈも同時に回動し、カム面２７ＪのＰで示した部位の方向に移動する。ここでは、連結切替板２６及び第１回転子２１ともに回動しているので第１施錠ユニット４０は連結切替板２６の回動により、第２施錠ユニット９０はワイヤ９５を介して第１回転子２１から伝達された第２回転子７１の回動により、それぞれ回動して同時に解錠状態となる（図１２（ｃ））。その後、連動子２２Ｅは戻り機構により水平の姿勢に戻されて図１２（ｄ）の状態となって解錠が完了する。
【００６７】
以上のように、本発明の施錠装置１００では、室内側から解錠をする際、サムターン２２を１度回動させれば、２つの施錠ユニット４０、９０を同時に解錠することができ、利用者にとって非常に利便性の高い施錠装置を提供することができる。
【００６８】
３−３．室外側操作による施錠操作
次に、室外側、つまりはシリンダー錠１、５１を利用した施錠操作について説明する。シリンダー錠１、５１は室外側に２つ備えられているので、上側に配置されたシリンダー錠１、又は下側に配置されたシリンダー錠５１のいずれかから操作する場合も考えられる。そこで、各場合について場合分けして図１３、図１４により説明する。なお図１３、図１４に示した図は、室外側からの操作ではあるが、理解容易、室内側操作との比較容易のため、図１１、図１２と同様に室内側からの視点で示している。
【００６９】
３−３−１．第１シリンダー錠を利用した施錠操作
はじめに、第１シリンダー錠１を操作して施錠操作をする場面について説明する。図１３（ａ）〜（ｃ）は、第１施錠ユニット４０及び第２施錠ユニット９０の両方が解錠状態にあり、第１シリンダー錠１を利用して施錠する場合における、各施錠ユニット４０、９０の主要部の状態を模式的に示した図である。この図は、図１３（ａ）〜図１３（ｃ）において、室内側から室外側を向いて第１シリンダー錠１を反時計回りに回したときに施錠されるという例を順を追って示したものである。最初、図１３（ａ）のように、第１施錠ユニット４０及び第２施錠ユニット９０は、共に解錠状態にあるときに、上述の図１１（ａ）の状態ある。この状態から、第１シリンダー錠１を反時計回りに回動させると、接触子２５がカム面２７ＪのＰで示した位置にあることにより、図１０（ａ）のように連動切替板２６と第１回転子２１は連動状態にあり、接触子２５により連動して回動する。従って、図１３（ｂ）に示したように、接触子２５及び貫通孔２６Ｈは、連動しながらカム面２７ＪのＱで示した部位の方向に移動する。ここでは、連結切替板２６及び第１回転子２１ともに回動しているので第１施錠ユニット４０は連結切替板２６の回動により、第２施錠ユニット９０はワイヤ９５を介して第１回転子２１から伝達された第２回転子７１の回動により、それぞれ回動して同時に施錠状態となる（図１３（ｃ））。一方、連動子２２Ｅはこのときいずれの部材からも干渉を受けないので回動せずに同じ姿勢を保持している。
【００７０】
３−３−２．第２シリンダー錠を利用した施錠操作
次に、第２シリンダー錠５１を操作して施錠操作をする場面について説明する。図１４（ａ）〜（ｃ）は、第１施錠ユニット４０及び第２施錠ユニット９０の両方が解錠状態にあり、第２シリンダー錠５１を利用して施錠する場合における、各施錠ユニット４０、９０の主要部の状態を模式的に示した図である。この図は、図１４（ａ）〜図１４（ｃ）において、室内側から室外側を向いて第２シリンダー錠５１を反時計回りに回したときに施錠されるという例を順を追って示したものである。最初、図１４（ａ）のように、第１施錠ユニット４０及び第２施錠ユニット９０は共に解錠状態にあるときに、上述の図１１（ａ）の状態ある。この状態から、第２シリンダー錠５１を反時計回りに回動させると、第２回転子７１が回動する。第２回転子７１はワイヤ９５によって常に第１回転子２１と連動しているので、これにより第１回転子２１も回動する。そしてここでは、接触子２５がカム面２７ＪのＰで示した位置にあることにより、上述したように連動切替板２６と第１回転子２１は連動状態にあり、接触子２５により連動して回動する。従って、図１４（ｂ）に示したように、接触子２５及び貫通孔２６Ｈは、連動しながらカム面２７ＪのＱで示した部位の方向に移動する。連動切替板２６及び第１回転子２１は連動して回動しているので、連動切替板２６はワイヤ９５を介して回動する第１回転子２１に連動して回動し、第１施錠ユニット４０を施錠状態にする。これにより第２施錠ユニット９０は第２シリンダー錠５１の操作により、第１施錠ユニット４０は連動して回動する連結切替板２６により、それぞれ同時に施錠状態となる（図１４（ｃ））。一方、連動子２２Ｅはこのときいずれの部材からも干渉を受けないので回動せずに同じ姿勢を保持している。
【００７１】
以上のように、本発明の施錠装置１００では、室外側からのシリンダー錠を使用した施錠操作の際にも、２つのシリンダー錠のうちのいずれか一方を施錠操作すれば、他方の施錠ユニットも施錠することができ、非常に利便性の高い施錠装置を提供することができる。施錠操作はその性質上、２つの施錠装置を連動させても防犯上の観点からの問題点はなく、防犯性に何ら影響を与えないので、防犯性は維持されつつ、利便性を向上させることができる。
【００７２】
３−４．室外側操作による解錠操作
次に、室外側、つまりはシリンダー錠１、５１を利用した解錠操作について説明する。上述のように、シリンダー錠１、５１は室外側に２つ備えられているので、上側に配置されたシリンダー錠１、又は下側に配置されたシリンダー錠５１のいずれかから操作する場合も考えられる。そこで、各場合について場合分けして図１５及び図１６を参照しつつ説明する。なお図１５及び図１６においても、室外側からの操作ではあるが、理解容易、室内側操作との比較容易のため、図１１及び図１２と同様に室内側からの視点で示している。
【００７３】
３−４−１．第１シリンダー錠を利用した解錠操作
はじめに、第１シリンダー錠１を先に操作して解錠操作をする場面について説明する。図１５（ａ）〜（ｅ）は、第１施錠ユニット４０及び第２施錠ユニット９０の両方が施錠状態にあり、第１シリンダー錠１を先に操作して解錠する場合における、各施錠ユニット４０、９０の主要部の状態を模式的に示した図である。この図は、図１５（ａ）〜図１５（ｅ）において、室内側から室外側を向いて第１シリンダー錠１及び第２シリンダー錠５１を時計回りに回したときに解錠されるという例を順を追って示したものである。最初、図１５（ａ）のように、第１施錠ユニット４０及び第２施錠ユニット９０は、共に施錠状態にあるときには上述の図１４（ｃ）と同じ状態にある。この状態から、第１シリンダー錠１を時計回りに回動させると、これに連結した連動切替板２６が連動して回動する。しかし、接触子２５及び貫通孔２６Ｈはカム面２７ＪのＱで示した位置にあり、図１０（ｃ）で示した連動解除状態である。従って連動切替板２６を回動させても第１回転子２１は連動して回動しない。図１５（ｂ）に示したように、被連動子２１Ｂは回動せずよって第１回転子２１回動しないので、ワイヤ９５に回動が伝達されず、第２回転子７１も回動しない。よって第２施錠ユニット９０は解錠されない。これにより第１施錠ユニット４０及び第２施錠ユニット９０の施解錠状態は、この時点で図１５（ｃ）に示したようになり、第１施錠ユニット４０が解錠、第２施錠ユニットが施錠状態となる。
【００７４】
そこで引き続き解錠操作を続ける。図１５（ｃ）に示した状態から、次に第２シリンダー錠５１を室内視時計周りに回して解錠操作をする。するとこれによって第２回転子７１が回動し、ワイヤ９５を介して第１回転子２１が回動する。このとき、接触子２５と、貫通孔２６Ｈの位置が異なる位置にあり、図１０（ｂ）に示した連動解除状態であるので、第１回転子２１と、連動切替板２６とは連動して回動しない。よって、第２シリンダー錠５１の解錠操作によっては、連動切替板２６は連動しないので第１施錠ユニット４０の解錠状態は維持される（図１５（ｄ））。そしてさらに第２シリンダー錠５１を回動させて、最終的に図１５（ｅ）に示したように第１施錠ユニット４０及び第２施錠ユニット９０の解錠操作が完了する。一方、連動子２２Ｅはこのときいずれの部材からも干渉を受けないので回動せずに同じ姿勢を保持している。
【００７５】
３−４−２．第２シリンダー錠を利用した解錠操作
次に、第２シリンダー錠５１を先に操作して解錠操作をする場面について説明する。図１６（ａ）〜（ｅ）は、第１施錠ユニット４０及び第２施錠ユニット９０の両方が施錠状態にあり、第２シリンダー錠５１を先に操作して解錠する場合における、各施錠ユニット４０、９０の主要部の状態を模式的に示した図である。この図は、図１６（ａ）〜図１６（ｅ）において、室内側から室外側を向いて第１シリンダー錠１及び第２シリンダー錠５１を時計回りに回したときに解錠されるという例を順を追って示したものである。最初、図１６（ａ）のように、第１施錠ユニット４０及び第２施錠ユニット９０は、共に施錠状態にあるときに、上述の図１４（ｃ）と同じ状態ある。この状態から、第２シリンダー錠５１を時計回りに回動させると、第２回転子７１が回動する。これによってワイヤ９５を介して第１回転子２１が回動する。しかし、接触子２５及び貫通孔２６Ｈはカム面２７ＪのＱで示した位置にあり、図１０（ｃ）で示した連動解除状態である。従って図１６（ｂ）に示したように、第１回転子２１が回動しても連動切替板２６は連動して回動しない。よって連動切替板２６に連結している第１施錠ユニット４０は解錠されず、施錠が維持される。これにより第１施錠ユニット４０及び第２施錠ユニット９０の施解錠状態はこの時点で図１６（ｃ）に示したようになり、第１施錠ユニット４０が施錠、第２施錠ユニット９０が解錠状態となる。
【００７６】
そこで引き続き解錠操作を続ける。図１６（ｃ）に示した状態から、第１シリンダー錠１を時計回りに回動させて解錠操作する。このとき、接触子２５と、貫通孔２６Ｈの位置が異なる位置にあり、図１０（ｂ）に示した連動解除状態であるので、第１回転子２１と、連動切替板２６とは連動して回動しない。よって、第１シリンダー錠１の解錠操作によっては、第１回転子２１は連動しないので第２施錠ユニット９０の解錠状態は維持される（図１５（ｄ））。そしてさらに第１シリンダー錠１を回動させて、最終的に図１６（ｅ）に示したようになり、第１施錠ユニット４０及び第２施錠ユニット９０の解錠操作が完了する。一方、連動子２２Ｅはこのときいずれの部材からも干渉を受けないので回動せずに同じ姿勢を保持している。
【００７７】
以上のように、本発明の施錠装置１００では、室外側からのシリンダー錠を使用した解錠操作の際には、２つのシリンダー錠のいずれも解錠操作しなければ、両方の施錠ユニットを解錠することはできない。これは、室外側からの解錠という性質上、賊等が操作したときに解錠し難いこと意味し、防犯上好ましいことである。これにより防犯性に優れた施錠装置１００とすることができる。
【００７８】
ここまでに示したように、本発明の施錠装置１００は、複数の施錠ユニットを備えているにもかかわらず、室内側からの施解錠は１つのサムターン操作で、全ての施錠ユニットの施解錠ができ、室外側からの施錠操作はいずれか一方のシリンダー錠の操作で全ての施錠ユニットの施錠ができるので、利便性が高い。加えて、室外側からの解錠操作は個々のシリンダー錠を解錠操作する必要があり、防犯性に優れている。このように、本発明の施錠装置１００は、防犯性と利便性とを兼ね備えた施錠装置である。
【００７９】
次に、図１１〜図１６において想定されていない状況である、第１施錠ユニット４０が解錠状態、第２施錠ユニット９０が施錠状態であるときに、第１施錠ユニット４０を施錠し、第１及び第２施錠ユニット４０、９０の両方を施錠状態にする場合について説明する。これは、例えば外出から帰宅し、１度は第１シリンダー錠１により第１施錠ユニット４０の解錠をしたものの、何らかの理由で、第２シリンダー錠５１による第２施錠ユニット９０の解錠をする前に、再び第１シリンダー錠１により第１施錠ユニット４０の施錠をしてその場を離れるというような場合を想定している。このとき、第１施錠ユニット４０を解錠した後、さらに第１施錠ユニット４０を施錠する操作をすることになるが、このとき、第２施錠ユニット９０が連動し、解錠してしまうことは好ましくない。
【００８０】
図１７(ａ)〜（ｅ)は、第１施錠ユニット４０を第１シリンダー錠１により一端解錠し、再び第１シリンダー錠１により第１施錠ユニット４０を施錠するときの主要部の動きを模式的に示した図である。これは、かかる場合においても、第１施錠ユニット４０のみが単独で動作し、第２施錠ユニット９０の施錠は維持されるということを確認的に示したものである。図１７における視点は図１１〜図１６までと同様に室内側から室外側を見たものである。図１７（ａ）において、第１及び第２施錠ユニット４０、９０のいずれもが施錠状態である。この状態から、第１シリンダー錠１により解錠操作をすると、図１７（ｂ）に示したように連動切替板２６が回動する。このとき接触子２５及び貫通孔２６Ｈはカム面２７ＪのＱで示した位置にあるので、図１０（ｃ）に示したような連動解除状態である。従って、第１回転子２１は連動切替板２６の回動に連動して回動しない。よってワイヤ９５に回動は伝達されず第２施錠ユニット９０は施錠状態を維持する（図１７（ｃ））。
【００８１】
次に、図１７（ｃ）の状態から、再び第１シリンダー錠１により第１施錠ユニット４０の施錠操作をすると、連動切替板２６が回動する。しかし、このとき接触子２５と貫通孔２６Ｈとは異なる位置にあり、図１０（ｂ）で示した連動解錠状態にある。従って、ここでは第１回転子２１は、連動切替板２６の回動によっては連動して回動せず、よって第２施錠ユニット９０の施錠は維持される（図１７（ｄ））。これにより図１７(ｅ）に示したように、再び第１及び第２施錠ユニット４０、９０は施錠状態となる。
【００８２】
このように、本発明は、かかる場合にも確実に連動と非連動状態とが適切に切り替えられ、信頼性の高い施錠装置を提供することができる。ここでは第１施錠ユニット４０の操作であったが、これが第２施錠ユニット９０側の操作でも同様に適切に施解錠が切り替えられる。
【００８３】
また、施錠装置１００の室内側には、図３に示したようにサムターン２２を備えていない側の室内側ユニット７０の最も室内側に補助部材７２を備えている。そして該補助部材７２の室内側端部には補助操作部材７２Ａが室内に露出して備えられている。補助操作部材７２Ａには、直線状の溝が設けられており、例えばドライバーの先端を差し込むことができるよう構成されている。これは、いずれかの理由で連動しない場合でも手動で第２室内側ユニット７０を操作することができるように補助的に設けられたものである。
【００８４】
本実施形態においては、施解錠操作は、サムターン２２又はシリンダー錠１、５１を９０度回動させることにより完了することとしたが、９０度である必要はなく、１８０度など、他の角度で施解錠操作が完了するものであってもよい。そのときには、カム面２７ＪのＰ及びＱで示された部位の位置等を、適した位置に変更することにより、本実施形態と同じ効果を得ることができる。
【００８５】
本実施形態において２つの連動切替機構は、第１施錠ユニット４０に備えられたが、これが第２施錠ユニット９０に備えられていてもよい。この場合、サムターンは第２室内側ユニット７０に配置される。
【００８６】
なお、本発明の施錠装置１００は、施解錠操作の確実性及び操作性の更なる向上のため、施解錠操作である回動操作が、半分より多く（施解錠操作がサムターン２２又はシリンダー錠１、５１を９０度回動させることによって完了する場合にあっては、６０度より大きく。）行われると、自動に、残りの回動操作を完了させる不図示の機構を錠箱１０、６０内に備えている。これにより、本発明の施解錠装置１００の施解錠の確実性及び操作性は向上する。
【００８７】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う施錠装置及び該施錠装置を備える開口部装置もまた本発明の技術的範囲に包含されるものとして理解されなければならない。
【図面の簡単な説明】
【００８８】
【図１】本発明の施錠装置を備える開口部装置を概略的に示す室内側及び室外側からの正面図である。
【図２】本発明の施錠装置を備える開口部装置の代表的な部位に着目して示す室内側の斜視図である。
【図３】第１及び第２室内側ユニットの各構成部材の分解斜視図である。
【図４】第１及び第２室内側ユニットの各構成部材を図３とは異なる視点で示す分解斜視図である。
【図５】第１回転子を拡大して示す斜視図である。
【図６】連動切替板を拡大して示す斜視図である。
【図７】第１回転子、連動切替板、及び連動子が組み合わされたときの配置を示す斜視図である。
【図８】連動子、被連動子を利用した連動・非連動切替機構が備える各部材の移動及び配置を模式的に示した図である。
【図９】連動子、被連動子を利用した連動・非連動切替機構が備える各部材の図８とは異なった移動及び配置を模式的に示した図である。
【図１０】接触子を利用した連動・非連動切替機構が備える各部材の移動及び配置を模式的に示した図である。
【図１１】第１及び第２施錠ユニットの解錠状態から、室内側操作により施錠状態とすることを順を追って示した図である。
【図１２】第１及び第２施錠ユニットの施錠状態から、室内側操作により解錠状態とすることを順を追って示した図である。
【図１３】第１及び第２施錠ユニットの解錠状態から、第１シリンダー錠により室外側から施錠状態にすることを順を追って示した図である。
【図１４】第１及び第２施錠ユニットの解錠状態から、第２シリンダー錠により室外側から施錠状態にすることを順を追って示した図である。
【図１５】第１及び第２施錠ユニットの施錠状態から、第１シリンダー錠を先に、第２シリンダー錠を後に操作して室外側から解錠状態にすることを順を追って示した図である。
【図１６】第１及び第２施錠ユニットの施錠状態から、第２シリンダー錠を先に、第１シリンダー錠を後に操作して室外側から解錠状態にすることを順を追って示した図である。
【図１７】第１及び第２施錠ユニットの施錠状態から、第１シリンダー錠を解錠操作し、再び第１シリンダー錠を施錠操作することにより、最終的に施錠状態にすることを順を追って示した図である。
【符号の説明】
【００８９】
１  シリンダー錠（第１シリンダー錠）
１０  第１錠箱
１２  第１デッドボルト
２０  第１室内側ユニット
２１  第１回転子
２２  室内操作手段（サムターン）
２５  接触子
２６  連動切替板
４０  第１施錠ユニット
５１  第２シリンダー錠
６０  第２錠箱
６２  第２デッドボルト
７０  第２室内側ユニット
７１  第２回転子
７２  補助部材
９０  第２施錠ユニット
９５  ワイヤ
１００  施錠装置
１０００  開口部装置
【図１】
2007077760.tif 000003
【図２】
2007077760.tif 000004
【図３】
2007077760.tif 000005
【図４】
2007077760.tif 000006
【図５】
2007077760.tif 000007
【図６】
2007077760.tif 000008
【図７】
2007077760.tif 000009
【図８】
2007077760.tif 000010
【図９】
2007077760.tif 000011
【図１０】
2007077760.tif 000012
【図１１】
2007077760.tif 000013
【図１２】
2007077760.tif 000014
【図１３】
2007077760.tif 000015
【図１４】
2007077760.tif 000016
【図１５】
2007077760.tif 000017
【図１６】
2007077760.tif 000018
【図１７】
2007077760.tif 000019